(57)【要約】【課題】コストアップを招くことなく、監視制御装置に対する効率的な操作を可能とすることができるフィールド制御システムを提供する。【解決手段】プラントに分散配置されたフィールドコントローラと、制御バスを介して前記フィールドコントローラとの間で通信を行うことにより、前記プラントの監視制御を行う監視制御装置と、前記監視制御装置に対する操作を受け付ける操作端末装置と、備えるフィールド制御システムに関する。本発明のフィールド制御システムは、前記操作端末装置は前記制御バスに接続され、前記監視制御装置は、前記操作端末装置により受け付けられた前記操作を前記制御バスを介して受け取り、当該操作に従う動作を実行する。【選択図】図１
2011118573.tif 000002
【特許請求の範囲】
【請求項１】
プラントに分散配置されたフィールドコントローラと、
制御バスを介して前記フィールドコントローラとの間で通信を行うことにより、前記プラントの監視制御を行う監視制御装置と、
前記監視制御装置に対する操作を受け付ける操作端末装置と、
を備えるフィールド制御システムにおいて、
前記操作端末装置は前記制御バスに接続され、
前記監視制御装置は、前記操作端末装置により受け付けられた前記操作を前記制御バスを介して受け取り、当該操作に従う動作を実行することを特徴とするフィールド制御システム。
【請求項２】
複数の前記監視制御装置が前記制御バスに接続され、前記操作端末装置は前記複数の監視制御装置の中から１つの監視制御装置を選択する指示を受け付けるとともに、当該指示に従って選択された当該監視制御装置に対する前記操作を受け付けることを特徴とする請求項１に記載のフィールド制御システム。
【請求項３】
前記操作端末装置は、前記制御バスを介する前記監視制御装置に対する前記操作を受け付けるために必要な前記監視制御装置の設定情報を、前記制御バスを介して取得する設定情報取得手段を具備することを特徴とする請求項１または２に記載のフィールド制御システム。
【請求項４】
前記操作端末装置は、前記設定情報に応じた画面表示を行う表示手段を具備することを特徴とする請求項３に記載のフィールド制御システム。
【請求項５】
前記制御バスには前記設定情報を格納する格納装置が接続され、
前記格納装置は前記制御バスを介して前記監視制御装置から前記設定情報を取得し、
前記設定情報取得手段は、必要に際して、前記制御バスを介して前記格納装置から前記設定情報を取得することを特徴とする請求項３または４に記載のフィールド制御システム。
【請求項６】
前記操作端末装置は、前記操作端末装置に対する操作者を認証する認証手段と、
前記認証手段により認証された前記操作者のアクセス権限の範囲を前記監視制御装置ごとに示すアクセス情報を、前記制御バスを介して取得するアクセス情報取得手段と、
を備え、
前記操作端末装置は、前記アクセス情報取得手段により取得された前記アクセス情報に従って前記アクセス権限がある場合に前記操作を受け付けることを特徴とする請求項１〜５のいずれか１項に記載のフィールド制御システム。
【請求項７】
前記操作端末装置および前記監視制御装置は、それぞれ前記制御バスを介する通信に際して、互いを認識する認識手段を備えることを特徴とする請求項１〜６のいずれか１項に記載のフィールド制御システム。
【発明の詳細な説明】
【技術分野】
【０００１】
本発明は、プラントに分散配置されたフィールドコントローラと、制御バスを介して前記フィールドコントローラとの間で通信を行うことにより、前記プラントの監視制御を行う監視制御装置と、前記監視制御装置に対する操作を受け付ける操作端末装置と、を備えるフィールド制御システムに関する。
【背景技術】
【０００２】
プラントの運転管理を行う分散型フィールドでは、システムの規模に応じて１つの中央制御室に複数の監視制御装置を設けて運転管理を行う場合がある。この場合、１台の監視制御装置に対して１台の操作端末装置が接続されるため、複数の監視制御装置を複数の運転員で操作する形態が一般的であり、運転員はそれぞれの監視制御装置ごとに別の監視画面を介してプラントの状況を確認し、あるいは画面上のシンボルを選択するなどして監視制御を行っている。
【０００３】
また、それぞれの監視制御装置は基本的に同じハードウェアと同じソフトウェアにより構成され、それぞれの監視制御装置で同一の情報を表示可能とされるとともに、それぞれの監視制御装置で選択された画面によって監視制御装置ごとに独立した操作ができる。
【０００４】
また、この種のフィールド制御システムにおいて、複数の監視制御装置に対して１人の運転員が操作を行う場合には、それぞれの監視制御装置の設定場所へ移動し、各監視制御装置の専用端末装置を用いて個々の操作を行う必要がある。
【先行技術文献】
【特許文献】
【０００５】
【特許文献１】特開平４−３０６７１９号公報
【特許文献２】特開２００５−２３４９１３号公報
【発明の概要】
【発明が解決しようとする課題】
【０００６】
上記のように、複数の監視制御装置が使用されるフィールド制御システムでは、１台の監視制御装置に対して１台の操作端末装置が接続されているため、複数の運転員による操作が必要となり、あるいは、１人の運転員が操作を行う場合には移動しながらの操作を余儀なくされる。また、複数の操作端末装置が必要となるため、装置のコストアップを招く。
【０００７】
本発明の目的は、コストアップを招くことなく、監視制御装置に対する効率的な操作を可能とすることができるフィールド制御システムを提供することにある。
【課題を解決するための手段】
【０００８】
本発明のフィールド制御システムは、プラントに分散配置されたフィールドコントローラと、制御バスを介して前記フィールドコントローラとの間で通信を行うことにより、前記プラントの監視制御を行う監視制御装置と、前記監視制御装置に対する操作を受け付ける操作端末装置と、を備えるフィールド制御システムにおいて、前記操作端末装置は前記制御バスに接続され、前記監視制御装置は、前記操作端末装置により受け付けられた前記操作を前記制御バスを介して受け取り、当該操作に従う動作を実行することを特徴とする。
このフィールド制御システムによれば、操作端末装置は制御バスに接続され、監視制御装置は操作端末装置により受け付けられた操作を制御バスを介して受け取るので、コストアップを招くことなく、監視制御装置に対する効率的な操作を可能とすることができる。
【０００９】
複数の前記監視制御装置が前記制御バスに接続され、前記操作端末装置は前記複数の監視制御装置の中から１つの監視制御装置を選択する指示を受け付けるとともに、当該指示に従って選択された当該監視制御装置に対する前記操作を受け付けてもよい。
【００１０】
前記操作端末装置は、前記制御バスを介する前記監視制御装置に対する前記操作を受け付けるために必要な前記監視制御装置の設定情報を、前記制御バスを介して取得する設定情報取得手段を具備してもよい。
【００１１】
前記操作端末装置は、前記設定情報に応じた画面表示を行う表示手段を具備してもよい。
【００１２】
前記制御バスには前記設定情報を格納する格納装置が接続され、前記格納装置は前記制御バスを介して前記監視制御装置から前記設定情報を取得し、前記設定情報取得手段は、必要に際して、前記制御バスを介して前記格納装置から前記設定情報を取得してもよい。
【００１３】
前記操作端末装置は、前記操作端末装置に対する操作者を認証する認証手段と、前記認証手段により認証された前記操作者のアクセス権限の範囲を前記監視制御装置ごとに示すアクセス情報を、前記制御バスを介して取得するアクセス情報取得手段と、を備え、前記操作端末装置は、前記アクセス情報取得手段により取得された前記アクセス情報に従って前記アクセス権限がある場合に前記操作を受け付けてもよい。
【００１４】
前記操作端末装置および前記監視制御装置は、それぞれ前記制御バスを介する通信に際して、互いを認識する認識手段を備えてもよい。
【発明の効果】
【００１５】
本発明のフィールド制御システムによれば、操作端末装置は制御バスに接続され、監視制御装置は操作端末装置により受け付けられた操作を制御バスを介して受け取るので、コストアップを招くことなく、監視制御装置に対する効率的な操作を可能とすることができる。
【図面の簡単な説明】
【００１６】
【図１】一実施形態のフィールド制御システムの構成を示すブロック図。
【図２】操作端末装置の構成を示すブロック図。
【図３】監視制御装置の設定情報の管理方法を示す図。
【図４】操作端末装置の動作を示すフローチャート。
【図５】操作端末装置の動作を示す図であり、（ａ）および（ｂ）は表示部における画面表示を例示する図。
【図６】操作端末装置の動作を示す図であり、（ａ）〜（ｃ）は表示部における画面表示を例示する図。
【図７】監視制御装置が１台のみ設置されたフィールド制御システムの構成例を示すブロック図。
【発明を実施するための形態】
【００１７】
以下、本発明によるフィールド制御システムの一実施形態について説明する。
【００１８】
図１は本実施形態のフィールド制御システムの構成を示すブロック図である。
【００１９】
図１に示すように、プラントに分散配置されたフィールドコントローラ２，２，・・・と、フィールドコントローラ２，２，・・・を介してプラントの監視、制御を行う監視制御装置３Ａ，３Ｂ，３Ｃと、監視制御装置３Ａ，３Ｂ，３Ｃへの操作を受け付ける操作端末装置４と、システムの構築および保守管理を行うためのエンジニアリング装置６と、を備える。図１に示すように、各フィールドコントローラ２はＩ／Ｏバスを介してフィールド機器１，１，・・・と接続される。
【００２０】
図１に示すように、フィールドコントローラ２，２，・・・、監視制御装置３Ａ，３Ｂ，３Ｃ、操作端末装置４およびエンジニアリング装置６は、いずれも高速応答性を備えるリアルタイム制御バスである制御バス７に接続されている。制御バス７は、プラントの監視、制御に関する監視制御装置３Ａ，３Ｂ，３Ｃとフィールドコントローラ２，２，・・・との間の通信時の通信経路、あるいはシステムの構築および保守管理に関するエンジニアリング装置６とフィールドコントローラ２，２，・・・との間の通信時の通信経路として機能するバスであり、従来のシステムでも使用されている。
【００２１】
制御バス７は二重化構成とすることもでき、これにより高い信頼性を獲得することができる。
【００２２】
また、監視制御装置３Ａ，３Ｂ，３Ｃおよびエンジニアリング装置６は、汎用通信バス９を介して外部コンピュータ８に接続されている。監視制御装置３Ａ，３Ｂ，３Ｃは、汎用通信バス９を介して外部コンピュータ８との間で通信可能とされている。
【００２３】
操作端末装置４は、運転員の操作に基づいて、監視制御装置３Ａ，３Ｂ，３Ｃの中から操作対象となる装置を選択し、当該選択された監視制御装置に対する操作を受け付ける機能を有する。
【００２４】
図２は操作端末装置４の構成を示すブロック図である。
【００２５】
図２に示す制御部４１は、操作端末装置４の全体を制御する機能を有する。制御部４１における制御に必要なプログラムおよびデータは、ＲＡＭおよびＲＯＭを具備する記憶部４２に格納される。
【００２６】
また、操作端末装置４は、監視制御装置３Ａ，３Ｂ，３Ｃを介して検出されたプラントの異常を、アラーム音やメッセージガイドなどの音声により運転員に通知する機能を備える。すなわち、音声制御部４３は、音声を出力する旨の制御部４１からの指令を受けて音声データ記憶部４４から該当する音声データを読み出す。読み出された音声データは音声出力部４５で増幅され、スピーカ４６から上記のアラーム音やメッセージガイドなどの音声として出力される。
【００２７】
図２に示す表示部４７には、操作対象として選択された監視制御装置に応じた可変表示キー（ファンクションキーを含む）が画面表示される。表示部４７に表示される可変表示キーを構成するボタン等の画像を構成する画像データは画像記憶部４９に格納され、表示制御部４８は制御部４１からの指令に従って画像記憶部４９から必要な画像データを読み込み、表示部４７に画像を表示する。
【００２８】
表示部４７の前面にはタッチパネル４７ａが設けられ、タッチパネル４７ａへの接触状態はタッチパネル制御部５１を介して検出される。表示部４７に画面表示されたボタン等の操作対象を指先やペン先で触れると、タッチパネル制御部５１を介して接触状態が制御部４１に入力される。制御部４１では表示部４７における表示状態と入力された接触状態とに基づいて、運転員の指示内容を解釈する。
【００２９】
図２に示すキースイッチ入力部５２は操作頻度の高いキーボタンや高い信頼性が求められるキーボタンなどを具備する。これらのキーボタンにはメカニカル方式のスイッチが使用され、操作の有無がスイッチのオン・オフ状態として制御部４１に与えられる。
【００３０】
図２に示す個人認証部５３は、操作端末装置４を使用する運転員を特定する機能を有する。運転員を特定することにより、各運転員に割り付けられた操作権限に応じて、操作監視装置３Ａ，３Ｂ，３Ｃに対する作業範囲を制限することができる。
【００３１】
図２に示す通信部５４は制御バス７を介する通信機能を有し、操作端末装置４と、制御バス７に接続された他の装置との間での通信を可能としている。
【００３２】
図３は、監視制御装置３Ａ，３Ｂ，３Ｃの設定情報の管理方法を示す図である。
【００３３】
設定情報は、個々の監視制御装置が保有し、操作端末装置４との通信に必要な情報である。設定情報には、個々の監視制御装置の監視制御対象となるフィールドコントローラ２やフィールド機器１、あるいはプロセス値などを特定する情報が含まれる。
【００３４】
監視制御装置３Ａ，３Ｂ，３Ｃが起動すると、監視制御装置３Ａ，３Ｂ，３Ｃがそれぞれ保有する設定情報は、制御バス７を介してエンジニアリング装置６に転送、保管される。図３において、監視制御装置３Ａが保有する「設定情報Ａ」、監視制御装置３Ｂが保有する「設定情報Ｂ」、および監視制御装置３Ｃが保有する「設定情報Ｃ」は、それぞれ制御バス７を介してエンジニアリング装置６に転送され、「設定情報Ａ」は保管データ３１ａとして、「設定情報Ｂ」は保管データ３１ｂとして、「設定情報Ｃ」は保管データ３１ｃとして、それぞれエンジニアリング装置６に保管される。
【００３５】
運転員が、操作端末装置４を使用して、例えば、監視制御装置３Ａを操作しようとした場合、図３に示すように、操作端末装置４は、制御バス７を介してエンジニアリング装置６から保管データ３１ａをダウンロードする。ダウンロードデータ３２ａは操作端末装置４の記憶部４２に監視制御装置３Ａの設定情報として記憶される。このような設定を行うことにより、制御監視装置３Ａと、操作端末装置４には１対１の関係が構築され、制御バス７を介して操作端末装置４から監視制御装置３Ａに操作データ３３ａを送信することが可能となる。
【００３６】
なお、監視制御装置３Ａ，３Ｂ，３Ｃと操作端末装置４との間で操作データ３３ａ、その他のデータを送受信する際、データを送受信する各装置では、個々に通信相手を識別する必要がある。そのため、監視制御装置３Ａ，３Ｂ，３Ｃおよび操作端末装置４の各装置にはユニークな識別番号（ＩＰアドレス等）が割り当てられ、識別番号により通信相手を識別している。制御バス７に接続される他の装置についても、同様に識別番号が割り当てられている。
【００３７】
図４は操作端末装置４の動作を示すフローチャートである。図４に示す処理は操作端末装置４の電源投入により開始される。
【００３８】
図４のステップＳ１では、操作端末装置４の表示部４７（図２）にログイン画面を表示する。
【００３９】
次にステップＳ２では、運転員がログインを完了するのを待って、ステップＳ３へ進む。ステップＳ３では、運転員の個人認証が完了したか否か判断し、判断が肯定されればステップＳ４へ進み、判断が否定されればステップＳ２へ戻る。ここでは、個人認証部５３に個人認証デバイスをかざすことで、個人認証が行われる。ステップＳ３では、個人認証デバイスの読み取りが完了した場合に、上記判断が肯定される。
【００４０】
ステップＳ４では、個人認証が行われた運転員に割り付けられた操作権限の情報を操作端末装置４で設定する。操作権限の情報の設定にあたり、運転員と操作権限の対応付けを操作端末装置４内に予め格納しておき、この対応付けに基づいて操作権限の情報を設定してもよい。あるいは、外部（例えば、エンジニアリング装置６）から上記対応付けを取得し、操作権限の情報を設定してもよい。
【００４１】
次にステップＳ５では、制御バス７を介してエンジニアリング装置６と交信し、監視制御装置の設定情報が保管されていれば、その設定情報を取得する。ステップＳ６では、監視制御装置に設定情報が保管されていた否か判断し、判断が肯定されればステップＳ８へ進み、判断が否定されればステップＳ７へ進む。
【００４２】
ステップＳ７では、表示部４７に操作可能な監視制御装置が存在しない旨を表示し、ステップＳ２へ戻る。
【００４３】
一方、ステップＳ８では、ステップＳ５で取得された設定情報に基づき、表示部４７に操作可能な監視制御装置の一覧を表示する。図５（ａ）は、表示部４７における画面表示を例示する図である。図５（ａ）の例では、領域１０１に監視制御装置３Ａ，３Ｂ，３Ｃにそれぞれ対応付けられたボタン１０１ａ，１０１ｂ，１０１ｃが表示されている。運転員が画面上のボタン１０１ａ，１０１ｂ，１０１ｃのいずれかに接触すると、タッチパネル４７ａを介してその操作が検出され、対応する監視制御装置３Ａ，３Ｂ，３Ｃのいずれかの装置を操作対象として選択することができる。
【００４４】
次に、ステップＳ９では、ステップＳ４で設定された操作権限の情報に基づき、運転員が操作可能な監視制御装置が存在するか否か判断し、判断が肯定されればステップＳ１０へ進み、判断が否定されればステップＳ１１へ進む。
【００４５】
ステップＳ１１では、個人認証デバイスの再挿入を指示するメッセージを表示部４７に表示し、個人認証デバイスの挿入を待って個人認証デバイスの読み取りを行い、挿入認証された運転員に対応する操作権限の情報を設定する。次に、ステップＳ１２では、ステップＳ４で設定された操作権限の情報に基づき、運転員が操作可能な監視制御装置が存在するか否か判断し、判断が肯定されればステップＳ１０へ進み、判断が否定されればステップＳ１３へ進む。ステップＳ１３では、操作端末装置４による操作ができない旨を表示し、ステップＳ２へ戻る。
【００４６】
ステップＳ１０では、表示部４７における画面表示について運転員が操作可能な監視制御装置を強調表示する。図５（ｂ）は強調表示の例を示す図である。図５（ｂ）の例では、ボタン１０１ａおよびボタン１０１ｂを強調表示することで、監視制御装置３Ａおよび監視制御装置３Ｂがそれぞれ操作可能であることを示している。同時に、ボタン１０１ｃに対応する監視制御装置３Ｃの操作はできないことが示される。
【００４７】
次に、ステップＳ１４では、表示部４７における表示画面への操作に基づいて、操作対象となる監視制御装置を選択する。ここでは、表示画面に表示されたボタンへの接触を、タッチパネル４７ａを介して検出し、対象となる監視制御装置を選択する。
【００４８】
次に、ステップＳ１５では、上記の操作権限の情報に基づいて、ステップＳ１４で選択されている監視制御装置について運転員がすべての操作内容を操作可能か否かを判断し、判断が肯定されればステップＳ１６へ進み、判断が否定されればステップＳ１７へ進む。
【００４９】
ステップＳ１７では、上記の操作権限の情報に基づいて、ステップＳ１４で選択されている監視制御装置について運転員がレベルＡまでの操作内容を操作可能か否かを判断し、判断が肯定されればステップＳ１８へ進み、判断が否定されればステップＳ１９へ進む。ここでは、レベルＡは、運転員が操作可能な範囲を示しており、例えば、中堅クラスの運転員までが操作可能な範囲をレベルＡとする。また、レベルＡよりも限定された操作範囲をレベルＢとしている。例えば、初心者クラスの運転員が操作可能な範囲をレベルＢとする。
【００５０】
ステップＳ１６では、表示部４７に、選択されている監視制御装置のすべての操作を可能とする画面表示（可変表示キーの表示）を行い、ステップＳ２０へ進む。
【００５１】
ステップＳ１８では、表示部４７に、選択されている監視制御装置の操作のうちレベルＡに該当する操作を可能とする画面表示（可変表示キーの表示）を行い、ステップＳ２０へ進む。
【００５２】
ステップＳ１９では、表示部４７に、選択されている監視制御装置の操作のうちレベルＢに該当する操作を可能とする画面表示（可変表示キーの表示）を行い、ステップＳ２０へ進む。
【００５３】
図６は、ステップＳ１６、ステップＳ１８あるいはステップＳ１９において、表示部４７における可変表示キーの表示画面を例示する図である。図６（ａ）は監視制御装置３Ａが、図６（ｂ）は監視制御装置３Ｂが、図６（ｃ）は監視制御装置３Ｃが、それぞれ選択されている例を示している。それぞれの監視制御装置についての表示画面は、ステップＳ５で取得された設定情報に基づき作成される。
【００５４】
図６（ａ）〜図６（ｃ）に示すように、表示画面の領域１０２には、操作対象として選択されている監視制御装置が表示される。また、領域１０３には、領域１０２に表示された各監視制御装置について、操作可能なボタン群が表示される。各ボタンには操作内容（例えば、監視制御対象となる個々の装置やプロセス値の選択）を示すキーコードが対応付けられており、所定のボタンに接触することにより、運転員は操作の対象となっている監視制御装置に対し所望の操作を指示することができる。ボタンへの接触は、タッチパネル４７ａを介して検出される。また、監視制御装置に対する操作を受け付ける画面を適宜、展開表示させることもできる。操作を受け付ける画面の表示方法は、監視制御装置への操作を指示する従来のシステムと同様、自由に規定することができる。
【００５５】
次に、ステップＳ２０では、選択されている監視制御装置に対して操作の指示が行われるのを待って、ステップＳ２１へ進む。ステップＳ２０の判断は、表示部４７の表示画面上のボタン、例えば、領域１０３のボタンへの操作があった場合に肯定される。
【００５６】
ステップＳ２１では、ステップＳ２０で認識されたボタン操作のキーコード（図３に示す操作データに含まれる）を、操作対象となっている監視制御装置に向けて制御バス７を介して送信する。操作対象となっている監視制御装置では、受信したキーコードに従った所定の処理が実行される。
【００５７】
キーコードにより規定される操作内容には、監視対象とするフィールドコントローラ２またはフィールド機器１が保有する情報、あるいはプロセス値を取得する旨の指示が含まれる。また、キーコードにより規定される操作内容には、これらの監視対象に対する制御に関する指示（例えば、プロセス値の設定指示）が含まれる。前者の場合には、監視対象とするフィールドコントローラ２またはフィールド機器１が保有する情報、あるいはプロセス値が、制御バス７経由で監視制御装置に取得される。さらにその情報が制御バス７を介して監視制御装置から操作端末装置４に転送され、表示部４７に表示される。後者の場合には、制御に関する指示を受けた監視制御装置が、制御バス７を介して監視対象に対し、対応する制御を実行する。
【００５８】
次に、ステップＳ２２では、運転員が変更されたか否か判断し、判断が肯定されればステップＳ１へ戻り、判断が否定されればステップＳ２３へ進む。
【００５９】
ステップＳ２３では、操作端末装置４の電源がオフされているか否か判断し、判断が肯定されれば処理を終了し、判断が否定されればステップＳ２０へ戻る。
【００６０】
以上のように、本実施形態のフィールド制御システムによれば、１台の操作端末装置を介して複数の監視制御装置の操作が可能となるため、運転員は各々の監視制御装置へ移動する必要がなくなる。また、操作端末装置の台数を減らすことができるため、装置コストの低減が可能となる。
【００６１】
また、操作端末装置を制御バスに接続することにより、監視制御装置やその他の装置との間での通信が可能となるため、操作端末装置の導入時に新たな通信バスの増設が不要となる。また、制御バスに接続できさえすれば操作端末装置の設置場所は任意であるため、操作端末装置の設置の自由度を高めることができるとともに、操作端末装置の移動も容易となる。また、監視制御装置や操作端末装置の増設や設置状態の変更時のエンジニアリングの負担を軽減できる。
【００６２】
さらに、本実施形態のフィールド制御システムでは、運転員の個人認証を行うことにより、操作業務におけるセキュリティ機能を獲得することができる。
【００６３】
本発明によるフィールド制御システムは、複数の監視制御装置を備える場合だけでなく、監視制御装置が単数の場合にも適用できる。
【００６４】
図７は、監視制御装置が１台のみ設置されたフィールド制御システムの構成例を示すブロック図である。図７において、図１に示す要素と同一の要素には同一符合を付している。
【００６５】
図７の場合にも、操作端末装置４と監視制御装置３Ａとの間、あるいは操作端末装置４とエンジニアリング装置６との間の通信回線として制御バス７が使用される。操作端末装置３Ａの設定情報の取り扱い方法は図１の場合と同様である。また、操作端末装置４から監視制御装置３Ａへの操作データは制御バス７を介して送られる。
【００６６】
本発明の適用範囲は上記実施形態に限定されることはない。本発明は、プラントに分散配置されたフィールドコントローラと、制御バスを介して前記フィールドコントローラとの間で通信を行うことにより、前記プラントの監視制御を行う監視制御装置と、前記監視制御装置に対する操作を受け付ける操作端末装置と、を備えるフィールド制御システムに対し、広く適用することができる。
【符号の説明】
【００６７】
２      フィールドコントローラ
３Ａ，３Ｂ，３Ｃ  監視制御装置（認識手段）
４      操作端末装置
６      エンジニアリング装置（格納装置）
７      制御バス
４７    表示部（表示手段）
５４    通信部（設定情報取得手段、認識手段、アクセス情報取得手段）
【図１】
2011118573.tif 000003
【図２】
2011118573.tif 000004
【図３】
2011118573.tif 000005
【図４】
2011118573.tif 000006
【図５】
2011118573.tif 000007
【図６】
2011118573.tif 000008
【図７】
2011118573.tif 000009